(57)【特許請求の範囲】
【請求項１】
前面が開口して内部に貯蔵室を有する断熱本体と、この断熱本体の開口を開閉自在に閉塞する透視可能な扉と、貯蔵室内の空気を循環するための送風機とを備えた冷却ケースにおいて、前記断熱本体の両側内側壁にはこの内側壁と間隔を隔てて冷気誘導板を設け、この冷気誘導板の背面側と前記断熱本体の内背面壁と前記断熱本体の内側壁とで囲まれた空間には間接照明用の照明装置を設け、前記断熱本体の内背面壁には織布又は不織布等の繊維又は和紙から成るシートを設けたことを特徴とする冷却ケース。
【請求項２】
前面が開口して内部に貯蔵室を有する断熱本体と、この断熱本体の開口を開閉自在に閉塞する透視可能な扉と、貯蔵室内の空気を循環するための送風機とを備えた冷却ケースにおいて、前記断熱本体の両側内側壁にはこの内側壁と間隔を隔てて冷気誘導板を設け、この冷気誘導板の背面側と前記断熱本体の内背面壁と前記断熱本体の内側壁とで囲まれた空間には間接照明用の照明装置を設け、前記断熱本体の内背面には背面壁と間隔を隔てて織布又は不織布等の繊維又は和紙から成るシートを設けたことを特徴とする冷却ケース。
【請求項３】
前記両側内側壁に設けた冷気誘導板に連通する冷気誘導板を天面に設け、この冷気誘導板に貯蔵室内に冷気を流入させる流入口を設けたことを特徴とする請求項１又は請求項２記載の冷却ケース。
【請求項４】
前記織布又は不織布等の繊維又は和紙は抗菌性を有するシートであることを特徴とする請求項１乃至請求項３記載の冷却ケース。
【発明の詳細な説明】
【０００１】
【発明の属する技術分野】
本発明は、商品陳列棚に陳列された商品を間接的に照らす照明装置を備えた冷却ケースに関する。
【０００２】
【従来の技術】
一般に、低温ケースには、庫内に陳列された商品を照らすために蛍光灯等の照明器が設けられている。
【０００３】
従来、低温ケースの照明器は、例えば貯蔵室の両側部、貯蔵室の天井部、商品陳列棚の下側、センターピラーの裏側等に取り付けられ、商品は前方から照らされる。
【０００４】
【発明が解決しようとする課題】
しかしながら、上述した冷却ケースでは、庫内の商品に直接光を当てることにより商品が照明されるので、照明による商品の演出効果が出ない等の問題があった。
【０００５】
本発明は上記の問題を解決するもので、冷却ケースの陳列棚に陳列された商品を間接的に照らして商品の演出効果を高め、さらに織布又は不織布等の繊維又は和紙から成るシートに揺らぎを与えて独特の演出効果を高めた冷却ケースを提供しようとするものである。
【０００６】
【課題を解決するための手段】
本発明の請求項１の冷却ケースは、前面が開口して内部に貯蔵室を有する断熱本体と、この断熱本体の開口を開閉自在に閉塞する透視可能な扉とを備えたものであって、前記断熱本体の両側内側壁にはこの内側壁と間隔を隔てて冷気誘導板を設け、この冷気誘導板の背面側と前記断熱本体の内背面壁と前記断熱本体の内側壁とで囲まれた空間には間接照明用の照明装置を設け、前記断熱本体の内背面壁には織布又は不織布等の繊維又は和紙から成るシートを設けたものである。
【０００７】
請求項１の発明によれば、照明装置が直接ユーザーから見えないようにすることができるため、間接照明効果をより向上させ、商品の演出効果を高めることができる。また、照明装置の光が貯蔵室の側方から織布又は不織布等の繊維又は和紙から成るシートの前面に向けて照射され、表面に自然な凹凸を有するシートに陰影が形成されるので、独特の雰囲気がかもし出される。
【０００８】
本発明の請求項２の冷却ケースは、前面が開口して内部に貯蔵室を有する断熱本体と、この断熱本体の開口を開閉自在に閉塞する透視可能な扉とを備えたものであって、前記断熱本体の両側内側壁にはこの内側壁と間隔を隔てて冷気誘導板を設け、この冷気誘導板の背面側と前記断熱本体の内背面壁と前記断熱本体の内側壁とで囲まれた空間には間接照明用の照明装置を設け、前記断熱本体の内背面には背面壁と間隔を隔てて織布又は不織布等の繊維又は和紙から成るシートを設けたものである。
【０００９】
請求項２の発明によれば、織布又は不織布等の繊維又は和紙から成るシートが冷気により揺らぐため、シートに印刷された絵柄が動いているように見えるので、請求項１の冷却ケースに比べてさらに商品の演出効果を高めることができる。また、照明装置の光が貯蔵室の側方から織布又は不織布等の繊維又は和紙から成るシートの後面に照射し、その後この後面から繊維の表面に向けて透過するので、さらにまた独特の雰囲気がかもし出される。
【００１０】
本発明の請求項３の冷却ケースは、請求項１又は請求項２の冷却ケースにおいて、両側内側壁に設けた冷気誘導板に連通する冷気誘導板を天面に設け、この冷気誘導板に貯蔵室内に冷気を流入させる流入口を設けたものである。
【００１１】
請求項３の発明によれば、織布又は不織布等の繊維又は和紙から成るシートが貯蔵室内を上方から下方に向かう冷気により揺らぐため、シートに印刷された絵柄が上下に動いているようにみえるので、請求項１又は請求項２の冷却ケースに比べて、さらにまた独特の雰囲気がかもし出される。
【００１２】
本発明の請求項４の冷却ケースは、請求項１乃至請求項３の冷却ケースにおいて、前記織布又は不織布等の繊維又は和紙は抗菌性を有するシートを使用したものである。
【００１３】
請求項４の発明によれば、織布又は不織布等の繊維又は和紙から成るシートとして、黴が生え難いものを使用するため、衛生的でかつシートに印刷された意匠の美観を長期間維持することができる。
【００１４】
【発明の実施の形態】
以下、本発明の一実施形態を図面に基づいて説明する。図１は本発明の冷却ケースの正面図、図２は図１のII−II線に沿って切断した冷却ケースの側面断面図、図３は図１のIII−III線に沿って切断した平面断面図、図４は図３におけるＡ部詳細図、図５は図２のＶ−Ｖ線に沿って切断した正面断面図、図６は他の実施例に係る図３に相当する平面断面図、図７は図６におけるＢ部詳細図である。
【００１５】
１は冷却ケースで、この冷却ケースは前面を開口２し、かつ、内部に貯蔵室３を有する断熱本体４と、この断熱本体の前面開口２を開閉自在に閉塞する透視可能なスライド扉５とで構成されている。断熱本体４の下部には、機械室６が形成され、この機械室には、圧縮機７、凝縮器８等が収納されている。機械室６の上方には冷却室９が形成され、この冷却室には冷却器１０、送風機１１が収納されている。冷却室９の上方には貯蔵室３と区画する仕切カバー１２が設けられている。スライド扉５は二重ガラスで形成され、内部に格子状の枠５Ａが設けられている。この枠は二重のガラスに挟持され和風の障子に似せた演出効果を与えている。
【００１６】
前記圧縮機７、凝縮器８、冷却器１０等は冷媒配管で接続され、冷凍サイクルを構成している。すなわち、圧縮機７から吐出されたガス冷媒は凝縮器８で凝縮して液冷媒に変化し、この液冷媒は冷却器１０で気化してこの冷却器の周囲の空気を冷却し、この冷却空気で貯蔵室３を冷却している。
【００１７】
貯蔵室３の両側内側壁には、上下方向に延びて内部に冷気通路１３Ａ、１４Ａを有する鋼板製の冷気誘導板１３、１４が設けられ、一方の冷気誘導板１３は冷却室９の吐出口１５に連通し、他方の冷気誘導板１４は冷却室９の吸込口１６に連通している。冷気誘導板１３、１４の上端には天面に取り付けられた鋼板製の冷気誘導板１７が設けられ、吐出口１５に連通された冷気誘導板１３側から、吸込口１６に連通された冷気誘導板１４側に冷気を循環させる冷気通路１７Ａが形成されている。冷気誘導板１３には複数の冷気吹出口３２が形成され、冷気誘導板１４には複数の冷気吸込口３３が形成され、一方、冷気誘導板１７には貯蔵室３内に冷気を降下させる複数の吹出口１８が形成されている。
【００１８】
１９は棚受け支柱で、この棚受け支柱１９は断面略コ字状に形成され、内背面壁２５側に開口２０が形成されている。また、棚受け支柱１９の側面には、図示しない複数の取り付け孔が形成され、この取り付け孔には、棚受け２２が係止される。この棚受けには棚板２３が配置され、この棚板の上には商品２１が随時陳列される。
【００１９】
また、棚受け支柱１９は、内部に蛍光灯等の照明装置２４を配置すると共に、冷気誘導板１３、１４の背面側と断熱本体４の内背面壁２５とこの断熱本体４の内側壁２６、２７とで囲まれた空間２８に収納されている。冷気誘導板１３、１４の背面側と棚受け支柱１９との間には冷気を通す孔２９が設けられている。
【００２０】
断熱本体４の内背面壁２５には、織布又は不織布等の繊維又は和紙から成り、抗菌性を有するシート３０が設けられている。このシート３０は、図４に示す如く、断面が略コ字状の透明又は半透明の樹脂から成る挟持部材３１により左右両端が挟持されており、この挟持部材３１の背面側には板状のマグネット３４が複数接着固定されている。そして、このマグネット３４の磁力により、シート３０が断熱本体４の内背面壁２５に固定されている。
【００２１】
このように構成された冷却ケースにおいて、機械室６内の圧縮機７の運転によって冷却室９内の冷却器１０で空気を冷却し、この冷却された空気を送風機１１により仕切カバー１２の吐出口１５から冷気誘導板１３の冷気通路１３Ａ内に導き天面の冷気誘導板１７の冷気通路１７Ａを通り、冷気誘導板１４の冷気通路１４Ａから仕切カバー１２の吸込口１６を介して冷却室９内に戻り、冷却された冷気誘導板１３、１４、１７自体で貯蔵室３を冷却すると共に、冷気誘導板１７の冷気吹出口１８から吹出す冷気によって、貯蔵室３内を効果的に冷却するようにしている。また、冷気誘導板１３の冷気吹出口３２から吹出す冷気は棚２３に沿って冷気が流れ、貯蔵室３内を効果的に冷却した後、冷気誘導板１４に形成された複数の冷気吸込口３３から冷気通路１４Ａ及び吸込口１６を介して冷却室９内に戻る。
【００２２】
冷気誘導板１３、１４、１７は、スライド扉５と内部に照明装置２４を有する棚受け支柱１９との間に設けることにより、冷気通路１３Ａ，１４Ａ，１７Ａを循環する冷気で照明装置２４から発生して上昇する熱を攪拌することがなく、貯蔵室３内の温度バラツキを小さくできるようにしている。更に、天面に設けた冷気誘導板１７は吹出口１８から貯蔵室３内に降下する冷気で照明装置２４から発生する熱をブロックするので、特に棚板２３に陳列されている商品部分の温度バラツキを抑えることができるようにしている。
【００２３】
また、照明装置２４を内蔵した棚受け支柱１９は冷気誘導板１３、１４の裏側に配置されていることにより、照明装置２４が直接ユーザーから見えないようにでき、間接照明効果をより向上させられ、商品の演出効果を高めることができるようにしている。さらに、照明装置２４の光が貯蔵室３の側方から織布又は不織布等の繊維又は和紙から成るシート３０の前面に向けて照射され、表面に凹凸を有する繊維のシート３０に陰影が形成されるので、独特の雰囲気がかもし出される。特に、貯蔵室３に陳列された商品が例えば瓶入り飲料や透明・半透明の商品である場合には、商品の演出効果がより高くなる。
【００２４】
照明装置２４は、冷気誘導板１３、１４の背面側と棚受け支柱１９との間に冷気を通す孔２９を設けることにより、冷気誘導板１３、１４から冷気を棚受け支柱１９内に導いて照明装置２４で発生する熱を冷却して貯蔵室３内の温度のバラツキを解消できるようにしている。
【００２５】
次に、スライド扉５を開放したときに、外気が侵入したり、あるいは冷却器１０に付着した霜を除霜する際に除霜水が一部蒸発し貯蔵室３内に結露することがあり、シート３０に露が付着し、甚だしいときは繊維の間に黴が生えることもあり、間接照明による演出効果が低減する。そこで、このような場合を考慮し、このシート３０として黴が生え難い抗菌性を有するものを使用し、衛生的でかつシートに印刷された意匠の美観を長期間維持できるようにしている。尚、抗菌性をもたせた繊維として、酸化亜鉛微粒子を繊維シート基体表面に被着させたものや、硫黄を練り込んだ綿をアクリル樹脂等に混ぜ合わせて糸にした抗菌繊維等が周知である。
【００２６】
図６及び図７は、本発明に係る第２の実施例であり、シート３０を断熱本体４の内背面壁２５から間隔を隔てて固定したものである。このシート３０は、断面が略コ字状の挟持部３５と、さらにこの挟持部の背面側にリブ３６を有する透明又は半透明の樹脂から成る挟持部材３１により、左右両端が挟持されており、この挟持部材３１の背面側には複数の板状のマグネット３４が接着固定されている。そして、このマグネット３４の磁力により、シート３０が断熱本体４の内背面壁２５から間隔を隔てて固定されている。尚、このシート３０を固定する際に幅方向に多少の余裕を持たせ、ドレープを有するように緩く固定している。
【００２７】
このような構成にすることにより、織布又は不織布等の繊維又は和紙から成るシートが冷気吹出口３２から吹出される冷気によりドレープが揺らぐため、シートに印刷された絵柄が揺らめいているようにみえるので、第１の実施例に比べてさらに商品の演出効果を高めることができる。また、照明装置２４の光が貯蔵室３の側方から織布又は不織布等の繊維又は和紙から成るシート３０の後方の断熱本体４の内背面壁２５に照射し、その後この内背面壁２５から繊維の表面に向けて透過するので、さらにまた独特の雰囲気がかもし出される。
【００２８】
さらにまた、冷気誘導板１７の吹出口１８から吹出す冷気により、織布又は不織布等の繊維又は和紙から成るシート３０が貯蔵室３内を上方から下方に向かう冷気によりドレープが揺らぐため、シート３０に印刷された絵柄が上下に動いているように見えるので、冷気吹出口３２から吹出される冷気によりドレープが揺らぐ場合に比べて、また独特の雰囲気がかもし出される。
【００２９】
尚、シート３０が貯蔵室３内を流れる冷気によりドレープを揺らめかせ、シート３０に印刷された絵柄が揺らめいているように見えるようにするためには、送風機１１に使われるファンとしてはプロペラファンのような脈動を有するものが良く、さらに所定時間毎に或いは不特定の時間で回転数を変化させるような機能を有する電動機であればさらに効果的である。このような場合には、第１の実施例においてシート３０を断熱本体４の内背面壁２５に近接させて幅方向に緩く固定した場合でも、貯蔵室３内を流れる冷気によりドレープを動かすこともできるので、シート３０に印刷された絵柄が揺らめいて見えるようにすることもできる。
【００３０】
また、このようなシート３０に印刷し使用される絵柄の例としては、例えば森の中の風景において木々の葉の間から木漏れ日が上空から射しこんでおり、前述の冷気誘導板１３の冷気吹出口３２や冷気誘導板１７の吹出口１８からの冷気によりシート３０のドレープが揺れてこの木漏れ日があたかも揺らめいて見えるような風景や、シート３０のドレープが揺らぐことによって、水面に生じた波紋が揺らめいているような光景等が考えられる。
【００３１】
【発明の効果】
以上のように、請求項１の発明によれば、照明装置が直接ユーザーから見えないようにすることができるため、間接照明効果をより向上させ、商品の演出効果を高めることができる。また、照明装置の光が貯蔵室の側方から織布又は不織布等の繊維又は和紙から成るシートの前面に向けて照射され、表面に自然な凹凸を有するシートに陰影が形成されるので、独特の雰囲気がかもし出される。
【００３２】
請求項２の発明によれば、織布又は不織布等の繊維又は和紙から成るシートが冷気により揺らぐため、シートに印刷された絵柄が動いているようにみえるので、請求項１の冷却ケースに比べてさらに商品の演出効果を高めることができる。また、照明装置の光が貯蔵室の側方から織布又は不織布等の繊維又は和紙から成るシートの後面に照射し、その後この後面からシートの表面に向けて透過するので、さらにまた独特の雰囲気がかもし出される。
【００３３】
請求項３の発明によれば、織布又は不織布等の繊維又は和紙から成るシートが貯蔵室内を上方から下方に向かう冷気により揺らぐため、シートに印刷された絵柄が上下に動いているようにみえるので、請求項１又は請求項２の冷却ケースに比べて、さらにまた独特の雰囲気がかもし出される。
【００３４】
請求項４の発明によれば、織布又は不織布等の繊維又は和紙から成るシートとして、黴が生え難いものを使用するため、衛生的でかつシートに印刷された意匠の美観を長期間維持することができる。
【図面の簡単な説明】
【図１】本発明の冷却ケースの正面図である。
【図２】本発明の図１のII−II線に沿って切断した冷却ケースの側面断面図である。
【図３】本発明の図１のIII−III線に沿って切断した冷却ケースの平面断面図である。
【図４】図３におけるＡ部詳細図である。
【図５】図２のＶ−Ｖ線に沿って切断した正面断面図である。
【図６】他の実施例に係る図３に相当する平面断面図である。
【図７】図６におけるＢ部詳細図である。
【符号の説明】
１  冷却ケース
２  前面開口
３  貯蔵室
４  断熱本体
５  扉
１０  冷却器
１２  仕切カバー
１３、１４、１７  冷気誘導板
１５  吐出口
１６  吸込口
１８  吹出口
１９  棚受け支柱
２４  照明装置
２８  空間
３０  シート
３１  挟持部材
３２  冷気吹出口
３３  冷気吸込口
３４  マグネット
【図１】
0004236363.tif 000002
【図２】
0004236363.tif 000003
【図３】
0004236363.tif 000004
【図４】
0004236363.tif 000005
【図５】
0004236363.tif 000006
【図６】
0004236363.tif 000007
【図７】
0004236363.tif 000008